(57)【要約】【課題】簡単な構造で、洗濯時に必要な水の量を低減可能な洗濯機を提供する。【解決手段】洗濯機１は、回転ドラム１２０と駆動部１４０と流体バランサ１３０とを備える。回転ドラム１２０は、洗濯物２００を収容して水平方向に対して傾斜した回転軸線を中心に回転することができるように配置される。駆動部１４０は、回転軸線を中心に回転ドラム１２０を回転させる。回転ドラム１２０の側壁は、底部１２１から開口部１２２に向かうにつれて次第に径が大きくなるテーパ形状に形成される。回転ドラム１２０の側壁と底部外周部は無孔壁で形成されている。流体バランサ１３０は、回転ドラム１２０の側壁１２３面に対向する外周壁面を有し、外周壁面には水抜き穴１３１が形成されている。水抜き穴１３１は回転ドラム１２０の開口部１２２の端部に対向する位置に形成され、水抜き穴１３１によって回転ドラム１２０の内部と外部とが連通されている。【選択図】図１
2011104211.tif 000002
【特許請求の範囲】
【請求項１】
洗濯物を出し入れするための開口部と前記開口部に対向する底部とを有し、洗濯物を収容して水平方向に対して傾斜した回転軸線を中心に回転することができるように配置され、内部で洗濯物の洗い、すすぎおよび脱水を行なう洗濯槽と、
回転軸線を中心に前記洗濯槽を回転させる駆動部と、
前記回転軸線を中心にして前記洗濯槽とともに回転する回転バランサーとを備え、
前記洗濯槽は、前記底部から前記開口部に向かうにつれて次第に径が大きくなるテーパ形状に形成される側壁を有し、
前記洗濯槽の側壁と前記洗濯槽の底部外周部とは無孔壁によって形成され、
前記回転バランサーは、前記洗濯槽の側壁面に対向する外周壁面を有し、
前記回転バランサーの外周壁面には凹部が形成され、
前記凹部は前記洗濯槽の開口部の端部に対向する位置に形成され、前記凹部によって前記洗濯槽の内部と前記洗濯槽の外部とが連通されている、洗濯機。
【請求項２】
前記凹部に接触するように配置されるブラシを備える、請求項１に記載の洗濯機。
【請求項３】
前記洗濯槽の内部から排出された水を前記洗濯槽の内部に戻すための循環水路と、
前記循環水路内において水を送出するための循環ポンプとを備える、請求項１または請求項２に記載の洗濯機。
【請求項４】
前記循環水路内の水位を検知する水位検知部を備え、
前記循環ポンプは、前記水位検知部によって所定の水位が検知されている場合に駆動するように構成されている、請求項３に記載の洗濯機。
【請求項５】
水を貯留するための滞留部を備え、
前記滞留部は、前記凹部と前記循環ポンプとの間に配置されている、請求項３または請求項４に記載の洗濯機。
【発明の詳細な説明】
【技術分野】
【０００１】
この発明は洗濯機に関する。
【背景技術】
【０００２】
従来、洗濯機には、洗濯物を収容する洗濯槽の底部に排水のための穴が形成されるだけでなく、外周壁面にも穴が形成されているものがある。このように構成された洗濯機では、脱水時に洗濯槽を高速で回転させることによって、外周壁面の穴から水を排出することができる。
【０００３】
例えば、特開２００３−１０３０８６号公報（特許文献１）には、水平な横軸周りに支承されて前面部に開口を有し、洗い、脱水および乾燥に共用の回転槽として機能するドラムを備える洗濯乾燥機が記載されている。ドラムの胴部は、前方に向かって拡開するテーパ状をなし、その先端部に例えば１列に脱水穴を形成し、その反対側である後面部側には例えば１列の排水穴が形成されている。
【０００４】
また、特開２００９−２８４００号公報（特許文献２）には、回転軸心を水平よりも前方に向かって高くなるように傾斜させた筒状の回転槽の後方側端面に排水口が開けられた洗濯機が記載されている。排水口には排水弁が設けられ、回転槽に給水を行う洗濯時には、重力および水圧により、排水口を水密に閉じた状態になる。また、この洗濯機の回転槽には、前方側端部に複数の脱水口が設けられている。脱水口には、脱水口を開閉する脱水弁が設けられている。脱水弁は、通常はバネで回転槽側へ付勢され、脱水口を水密に閉じるように設定されている。脱水時には、脱水弁は遠心力でバネの付勢力に反して開くように設定されている。このように、この洗濯機では、洗濯時は排水穴と脱水口を閉塞して回転槽を水密に閉じることによって、少ない水量で洗濯を行う。
【先行技術文献】
【特許文献】
【０００５】
【特許文献１】特開２００３−１０３０８６号公報
【特許文献２】特開２００９−２８４００号公報
【発明の概要】
【発明が解決しようとする課題】
【０００６】
しかしながら、特開２００３−１０３０８６号公報（特許文献１）に記載の洗濯乾燥機では、脱水穴と排水穴が開放されているので、ドラムの外周を覆う水槽を備え、水槽に水を貯めて洗濯する必要がある。このように、水槽内に水を貯めて洗濯するためには、ドラム内だけに水を貯める場合と比較して、多量の水が必要になる。
【０００７】
一方、特開２００９−２８４００号公報（特許文献２）に記載の洗濯機では、洗濯時には排水口と脱水口を閉塞して回転槽を水密にすることによって少量の水で洗濯しているが、洗濯終了時には排水しなくてはならないので、排水口と脱水口を開閉する弁が必要になる。この洗濯機のように、複数の脱水弁をバネで回転槽側へ付勢し、脱水時には遠心力で脱水弁を開くように構成されている洗濯機では、構造が複雑になる。また、このように複雑に構成された弁を備えることによって、脱水口によって水抜けのバラツキが生じ、回転槽のアンバランスが生じて異常振動を発生させることがある。
【０００８】
そこで、この発明の目的は、簡単な構造で、洗濯時に必要な水の量を低減させることが可能な洗濯機を提供することである。
【課題を解決するための手段】
【０００９】
この発明に従った洗濯機は、洗濯槽と、駆動部と、回転バランサーとを備える。洗濯槽は、洗濯物を出し入れするための開口部と開口部に対向する底部とを有し、洗濯物を収容して水平方向に対して傾斜した回転軸線を中心に回転することができるように配置され、内部で洗濯物の洗い、すすぎおよび脱水を行なうためのものである。駆動部は、回転軸線を中心に洗濯槽を回転させるためのものである。回転バランサーは、回転軸線を中心にして洗濯槽とともに回転する。
【００１０】
洗濯槽は、底部から開口部に向かうにつれて次第に径が大きくなるテーパ形状に形成される側壁を有する。洗濯槽の側壁と洗濯槽の底部外周部とは、無孔壁によって形成されている。回転バランサーは、洗濯槽の側壁面に対向する外周壁面を有し、回転バランサーの外周壁面には凹部が形成されている。凹部は洗濯槽の開口部の端部に対向する位置に形成され、凹部によって洗濯槽の内部と洗濯槽の外部とが連通されている。
【００１１】
洗濯槽においては、側壁は、底部から開口部に向かうにつれて次第に径が大きくなるテーパ形状に形成され、側壁と底部の外周部が無孔壁によって形成されているので、洗濯槽が駆動部によって高速で回転されると、洗濯槽の底部の水は、遠心力によって、洗濯槽の側壁面に沿って開口部に向かって流れる。
【００１２】
開口部においては、洗濯槽の内部と洗濯槽の外部とが、回転バランサーの外周壁面に形成された凹部によって連通されている。開口部に向かって流れた水は、回転バランサーの凹部を通って洗濯槽の外部に排出される。
【００１３】
そこで、洗濯の洗い行程やすすぎ行程の終了時に排水する場合には、洗濯槽を高速で回転させることによって、洗濯槽内の水を、凹部を通して洗濯槽の外部に排出することができる。また、脱水時にも同様に、洗濯槽を高速で回転させることによって、洗濯槽内の水を、凹部を通して洗濯槽の外部に排出することができる。
【００１４】
このようにすることにより、洗濯槽に排水口や脱水口を形成する必要がないので、洗濯機の加工工数を削減することができる。また、排水口や脱水口にバネで付勢される弁を設けなくても、洗濯槽内に貯められた滞留水で洗濯を行うことができるので、簡単な構造で、洗濯時に使用する水の量を低減することができる。排水口や脱水口にバネで付勢される弁を設ける必要がないので、水の排出のばらつきによる洗濯槽のアンバランスが生じにくい。
【００１５】
また、この洗濯機においては、水を排水、脱水するための凹部は洗濯槽の開口部の端部に形成されている。そのため、洗濯槽には開口部まで最大限、水を貯めることができる。このように、洗濯槽に排水口や脱水口を形成する場合と比較して、洗濯槽を小さくしても洗濯に必要な量の水を貯めることができるので、洗濯機を小型化することが可能になる。
【００１６】
また、洗濯槽に排水口や脱水口を形成するよりも、回転バランサーに凹部を形成することによって、洗濯槽内の水を洗濯槽の外部に排水、脱水するための流路の総断面積を大きくすることができる。さらに、回転バランサーの凹部を通して排水と脱水との両方を行うことができる。
【００１７】
このようにすることにより、簡単な構造で、洗濯時に必要な水の量を低減させることが可能な洗濯機を提供することができる。
【００１８】
この発明に従った洗濯機は、凹部に接触するように配置されるブラシを備えることが好ましい。
【００１９】
このようにすることにより、洗濯水とともに糸くずなどが凹部を通過するときに、ブラシで糸くずを取り除いて、凹部が詰まることを防ぐことができる。
【００２０】
この発明に従った洗濯機は、洗濯槽の内部から排出された水を洗濯槽の内部に戻すための循環水路と、循環水路内において水を送出するための循環ポンプとを備えることが好ましい。
【００２１】
このようにすることにより、循環水を用いた洗濯と、滞留水を用いた洗濯とを行うことによって、洗濯性能を向上させることができる。
【００２２】
この発明に従った洗濯機は、循環水路内の水位を検知する水位検知部を備え、循環ポンプは、水位検知部によって所定の水位が検知されている場合に駆動するように構成されていることが好ましい。
【００２３】
このようにすることにより、循環ポンプに空気が混入することを防ぐことができる。
【００２４】
この発明に従った洗濯機は、水を貯留するための滞留部を備えることが好ましい。滞留部は、凹部と循環ポンプとの間に配置されていることが好ましい。
【００２５】
このようにすることにより、循環ポンプに空気が混入することを防ぐことができる。
【発明の効果】
【００２６】
以上のように、この発明によれば簡単な構造で、洗濯時に必要な水の量を低減させることが可能な洗濯機を提供することができる。
【図面の簡単な説明】
【００２７】
【図１】本発明の第１実施形態に係る洗濯機の全体を模式的に示す図である。
【図２】本発明の第１実施形態に係る洗濯機が備える流体バランサーを、洗濯機の背面側から見たときの一部を示す図である。
【図３】本発明の第１実施形態に係る洗濯機が備える流体バランサーを洗濯機の側面側から見たときの一部を示す図（Ａ）と、（Ａ）にＢ−Ｂ線で示す方向から見たときの断面を示す図（Ｂ）と、（Ａ）にＣ−Ｃ線で示す方向から見たときの断面を示す図（Ｃ）である。
【図４】本発明の第１実施形態に係る洗濯機において排水行程を行っているときの全体を模式的に示す図である。
【図５】本発明の第２実施形態に係る洗濯機の全体を模式的に示す図である。
【図６】本発明の第２実施形態に係る洗濯機が備える流体バランサーとブラシを洗濯機の側面側から見たときの図（Ａ）と、（Ａ）に矢印Ｂで示す方向から見たときの図（Ｂ）である。
【図７】本発明の第２実施形態に係る洗濯機において排水行程を行っているときの全体を模式的に示す図である。
【発明を実施するための形態】
【００２８】
以下、この発明の実施の形態を図面に基づいて説明する。
【００２９】
（第１実施形態）
図１に示すように、この発明の第１実施形態の洗濯機１は、全体が外箱１０１と、天板１０２と、台座１０３とによって覆われている。外箱１０１は、洗濯機１の側面を覆う。天板１０２は、洗濯機１の上面を覆う。台座１０３は、洗濯機１の下面を覆う。図１において左側を洗濯機１の正面側とし、図１において右側を洗濯機１の背面側とする。
【００３０】
洗濯機１の内部には、主に、外槽１１０と、外槽１１０の内部において回転可能に支持される洗濯槽として回転ドラム１２０と、回転ドラム１２０を回転させる駆動部１４０と、循環ポンプ１５３と、循環水路１５２と、滞留部１５１と、流体バランサー１３０と、制御回路１６０とが収容されている。流体バランサー１３０は回転バランサーの一例である。回転ドラム１２０は、洗濯物２００を出し入れするための開口部１２２と開口部１２２に対向する底部１２１とを有し、洗濯物２００を収容して水平方向に対して傾斜した回転軸線を中心に回転することができるように配置されている。回転ドラム１２０の側壁は、底部１２１から開口部１２２に向かうにつれて次第に径が大きくなるテーパ形状に形成されている。回転ドラム１２０の側壁と底部外周部とは、無孔壁によって形成されている。すなわち、回転ドラム１２０の側壁と底部外周部には、穴は形成されていない。回転ドラム１２０の内部には、洗濯物２００が収容される。
【００３１】
駆動部１４０は、回転軸線を中心に回転ドラム１２０を回転させるためのものである。
【００３２】
流体バランサー１３０は、回転ドラム１２０の開口部１２２に取り付けられている。流体バランサー１３０と回転ドラム１２０との間には水抜き穴１３１が形成されている。
【００３３】
回転ドラム１２０の開口部１２２は、扉１７０を閉じることによって閉塞される。扉１７０と外槽１１０との間には、パッキン１７１が配置されている。
【００３４】
滞留部１５１は、外槽１１０の底部に接続されて、外槽１１０の底部の下方に配置されている。滞留部１５１はまた、循環水路１５２に接続されている。循環水路１５２の端部は、外槽１１０内において、回転ドラム１２０の内部に向かって開口されている。循環水路１５２において滞留部１５１と、回転ドラム１２０の内部に開口される端部との間には、循環ポンプ１５３が接続されている。滞留部１５１は、水抜き穴１３１と循環ポンプ１５３との間に配置されている。循環水路１５２には水位検知部として水位センサ１５４が配置されている。循環ポンプ１５３は、水位センサ１５４が所定の水位を検知したときに駆動されるように構成されている。循環水路１５２はまた、排水弁１５５に接続されている。排水弁１５５が開放されると、循環水路１５２の内部が洗濯機１の外部に連通する。
【００３５】
図２に示すように、流体バランサー１３０は環状に形成されており、洗濯機１の背面側から見ると、外周面側に複数の凹部として水抜き穴１３１が形成されている。
【００３６】
図３の（Ａ）に示すように、流体バランサー１３０を洗濯機１の側面側から見ると、水抜き穴１３１は、回転ドラム１２０側の端部に複数、形成されている。図３の（Ｂ）に示すように、水抜き穴１３１は、流体バランサー１３０の外周壁面上の凹部と、回転ドラム１２０の端部とによって形成されている。水抜き穴１３１は、回転ドラム１２０の開口部の端部に対向する位置に形成されている。水抜き穴１３１の位置においては、流体バランサー１３０の外周壁面と、回転ドラム１２０の側壁１２３の開口部１２２（図１）側の端部との間に、隙間が形成されている。このように、水抜き穴１３１によって、回転ドラム１２０の内部と回転ドラム１２０の外部とが連通されている。図３の（Ｃ）に示すように、水抜き穴１３１が形成されていない位置においては、流体バランサー１３０の外周面と、回転ドラム１２０の側壁１２３とが接触している。
【００３７】
以上のように構成された洗濯機１の動作について説明する。
【００３８】
まず、洗濯時の洗い行程においては、回転ドラム１２０内に、洗濯機１の外部の水道から給水経路（図示しない）を通して水が供給される。水の量は、洗濯物２００の量や質に応じて調整される。回転ドラム１２０の底部１２１は開口部１２２と比較して下方に配置されているので、底部１２１から開口部１２２までの間に水が貯められる。回転ドラム１２０において水に接する側壁と底部の外周部は、無孔壁によって形成されている。
【００３９】
洗い行程においては、駆動部１４０が回転ドラム１２０を低速で回転させる。回転ドラム１２０が回転されると、回転ドラム１２０の内部の洗濯物２００が回転ドラム１２０の内部に貯められた水によって洗濯される。必要に応じて洗剤が投入される。
【００４０】
図４に示すように、洗い行程において、駆動部１４０が回転ドラム１２０をより高速で回転させてもよい。この場合には、循環ポンプ１５３も駆動させる。駆動部１４０が回転ドラム１２０をより高速で回転させると、回転ドラム１２０内の水は遠心力によって、図３の（Ｂ）に一点鎖線の矢印で示すように、回転ドラム１２０の側壁１２３に沿って流れて、流体バランサー１３０の水抜き穴１３１を通って回転ドラム１２０の外部に排出される。回転ドラム１２０の外部に排出された水は、回転ドラム１２０の外側に配置される外槽１１０の内壁に沿って外槽１１０の底部に向かって流れる。外槽１１０の底部には滞留部１５１が接続されており、水は滞留部１５１に貯められる。滞留部１５１内に貯められる水の量が所定の量であることを水位センサ１５４が検知すると、循環ポンプ１５３が駆動される。循環ポンプ１５３が駆動されると、滞留部１５１内の水は、図４に矢印で示すように、循環水路１５２を通って、回転ドラム１２０内に戻される。
【００４１】
このように、滞留水による洗濯と、循環水を用いて、回転ドラム１２０の開口部１２２から回転ドラム１２０の内部に水を噴射する洗濯とを行うことによって、より効果的に洗濯することができる。
【００４２】
すすぎ行程は、洗い行程と同様に行われる。
【００４３】
排水行程においては、駆動部１４０は、回転ドラム１２０をさらに高速で回転させる。同時に、循環ポンプ１５３の駆動を停止し、排水弁１５５を開放する。このようにすることにより、回転ドラム１２０の内部に貯められている大部分の水が水抜き穴１３１を通って、外槽１１０内に排出される。外槽１１０内に排出された水は、滞留部１５１から循環水路１５２に流入する。循環ポンプ１５３の駆動が停止され、排水弁１５５が開放されているので、滞留部１５１から循環水路１５２内に流入した水は、排水弁１５５を通って洗濯機１の外に排出される。
【００４４】
脱水行程においては、駆動部１４０は、回転ドラム１２０を排水行程よりもさらに高速で回転させる。循環ポンプ１５３の駆動は停止され、排水弁１５５は開放されたままである。このようにすることにより、衣類に残っている水の少なくとも一部が、遠心力によって回転ドラム１２０の側壁１２３に沿って開口部１２２に向かって流れ、水抜き穴１３１から排出される。
【００４５】
このように、排水行程においても、脱水行程においても、回転ドラム１２０内の水は、流体バランサー１３０と回転ドラム１２０との間に形成された水抜き穴１３１を通して回転ドラム１２０の外に排出される。
【００４６】
以上のように、第１実施形態の洗濯機１は、回転ドラム１２０と、駆動部１４０と、流体バランサー１３０とを備える。回転ドラム１２０は、洗濯物２００を出し入れするための開口部１２２と開口部１２２に対向する底部１２１とを有し、洗濯物２００を収容して水平方向に対して傾斜した回転軸線を中心に回転することができるように配置され、内部で洗濯物２００の洗い、すすぎおよび脱水を行なうためのものである。駆動部１４０は、回転軸線を中心に回転ドラム１２０を回転させるためのものである。流体バランサー１３０は、回転軸線を中心にして回転ドラム１２０とともに回転する。
【００４７】
回転ドラム１２０は、底部１２１から開口部１２２に向かうにつれて次第に径が大きくなるテーパ形状に形成される側壁を有する。回転ドラム１２０の側壁と回転ドラム１２０の底部外周部とは、無孔壁によって形成されている。流体バランサー１３０は、回転ドラム１２０の側壁１２３面に対向する外周壁面を有し、流体バランサー１３０の外周壁面には水抜き穴１３１が形成されている。水抜き穴１３１は回転ドラム１２０の開口部１２２の端部に対向する位置に形成され、水抜き穴１３１によって回転ドラム１２０の内部と回転ドラム１２０の外部とが連通されている。
【００４８】
回転ドラム１２０においては、側壁は、底部１２１から開口部１２２に向かうにつれて次第に径が大きくなるテーパ形状に形成され、側壁と底部の外周部が無孔壁によって形成されているので、回転ドラム１２０が駆動部１４０によって高速で回転されると、回転ドラム１２０の底部１２１の水は、遠心力によって、回転ドラム１２０の側壁１２３面に沿って開口部１２２に向かって流れる。
【００４９】
開口部１２２においては、回転ドラム１２０の内部と回転ドラム１２０の外部とが、流体バランサー１３０の外周壁面に形成された水抜き穴１３１によって連通されている。開口部１２２に向かって流れた水は、流体バランサー１３０の水抜き穴１３１を通って回転ドラム１２０の外部に排出される。
【００５０】
そこで、洗濯の洗い行程やすすぎ行程の終了時に排水する場合には、回転ドラム１２０を高速で回転させることによって、回転ドラム１２０内の水を、水抜き穴１３１を通して回転ドラム１２０の外部に排出することができる。また、脱水時にも同様に、回転ドラム１２０を高速で回転させることによって、回転ドラム１２０内の水を、水抜き穴１３１を通して回転ドラム１２０の外部に排出することができる。
【００５１】
このようにすることにより、回転ドラム１２０に排水口や脱水口を形成する必要がないので、洗濯機１の加工工数を削減することができる。また、排水口や脱水口にバネで付勢される弁を設けなくても、回転ドラム１２０内に貯められた滞留水で洗濯を行うことができるので、簡単な構造で、洗濯時に使用する水の量を低減することができる。排水口や脱水口にバネで付勢される弁を設ける必要がないので、水の排出のばらつきによる回転ドラム１２０のアンバランスが生じにくい。
【００５２】
また、この洗濯機１においては、水を排水、脱水するための水抜き穴１３１は回転ドラム１２０の開口部１２２の端部に形成されている。そのため、回転ドラム１２０には開口部１２２まで最大限、水を貯めることができる。このように、回転ドラム１２０に排水口や脱水口を形成する場合と比較して、回転ドラム１２０を小さくしても洗濯に必要な量の水を貯めることができるので、洗濯機１を小型化することが可能になる。
【００５３】
また、回転ドラム１２０に排水口や脱水口を形成するよりも、流体バランサー１３０に水抜き穴１３１を形成することによって、回転ドラム１２０内の水を回転ドラム１２０の外部に排水、脱水するための流路の総断面積を大きくすることができる。さらに、流体バランサー１３０の水抜き穴１３１を通して排水と脱水との両方を行うことができる。
【００５４】
このようにすることにより、簡単な構造で、洗濯時に必要な水の量を低減させることが可能な洗濯機１を提供することができる。
【００５５】
また、第１実施形態の洗濯機１は、回転ドラム１２０の内部から排出された水を回転ドラム１２０の内部に戻すための循環水路１５２と、循環水路１５２内において水を送出するための循環ポンプ１５３とを備える。
【００５６】
このようにすることにより、循環水を用いた洗濯と、滞留水を用いた洗濯とを行うことによって、洗濯性能を向上させることができる。
【００５７】
また、第１実施形態の洗濯機１は、循環水路１５２内の水位を検知する水位検知部を備え、循環ポンプ１５３は、水位検知部によって所定の水位が検知されている場合に駆動するように構成されている。
【００５８】
このようにすることにより、循環ポンプ１５３に空気が混入することを防ぐことができる。
【００５９】
また、第１実施形態の洗濯機１は、水を貯留するための滞留部１５１を備える。滞留部１５１は、水抜き穴１３１と循環ポンプ１５３との間に配置されている。
【００６０】
このようにすることにより、循環ポンプ１５３に空気が混入することを防ぐことができる。
【００６１】
（第２実施形態）
図５に示すように、第２実施形態の洗濯機２が第１実施形態の洗濯機１と異なる点としては、第２実施形態の洗濯機２は、流体バランサー１３０の水抜き穴１３１に接触するように配置されるブラシ１８０を備える。第２実施形態の洗濯機２のその他の構成は、第１実施形態の洗濯機１と同様である。
【００６２】
図６の（Ａ）に示すように、ブラシ１８０は、ブラシ支持部１８１を介して外槽１１０の内壁面に取り付けられている。ブラシ１８０の先端部は、流体バランサー１３０の水抜き穴１３１の縁に接触するように配置されている。
【００６３】
図６の（Ｂ）に示すように、ブラシ１８０は、ブラシ支持部１８１を中心にして、図中に矢印で示すように、左右に回動することが可能であるように構成されている。
【００６４】
以上のように構成された第２実施形態の洗濯機２は、第１実施形態の洗濯機１と同様に動作する。
【００６５】
図７に示すように、排水行程または脱水行程において、回転ドラム１２０が高速で回転されると、回転ドラム１２０の側壁１２３に沿って流れて水抜き穴１３１から排出される水は、ブラシ１８０に接触する。このとき、水に糸くずやほこりなどが含まれていれば、ブラシ１８０によって除去されて、循環ポンプ１５３には水が流れ込む。
【００６６】
以上のように、第２実施形態の洗濯機２は、水抜き穴１３１に接触するように配置されるブラシ１８０を備える。
【００６７】
このようにすることにより、洗濯水とともに糸くずなどが水抜き穴１３１を通過するときに、ブラシ１８０で糸くずを取り除いて、水抜き穴１３１が詰まることを防ぐことができる。
【００６８】
第２実施形態の洗濯機２のその他の構成と効果は、第１実施形態の洗濯機１と同様である。
【００６９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７０】
１，２：洗濯機、１２０：回転ドラム、１２１：底部、１２２：開口部、１２３：側壁、１３０：流体バランサー、１３１：水抜き穴、１４０：駆動部、１５１：滞留部、１５２：循環水路、１５３：循環ポンプ、１５４：水位センサ、１８０：ブラシ。
【図１】
2011104211.tif 000003
【図２】
2011104211.tif 000004
【図３】
2011104211.tif 000005
【図４】
2011104211.tif 000006
【図５】
2011104211.tif 000007
【図６】
2011104211.tif 000008
【図７】
2011104211.tif 000009